(57)【要約】【課題】携帯端末で閲覧したＷｅｂ画面をサーバでキャプチャして保存し、閲覧することが可能なキャプチャ処理システムを提供すること。【解決手段】携帯端末である携帯電話１は、Ｗｅｂページ閲覧機能およびメール送受信機能を有するプログラムを備え、サーバ２は、要求されたページデータを生成して端末に送信する機能、送信したページデータを保存する機能、端末からのキャプチャ要求に基づき、保存されているページデータをＷｅｂ公開する機能、Ｗｅｂ公開されたページデータと対応するＵＲＬを端末１にメールで通知する機能を有するプログラムを備える。サーバ２において画面をキャプチャし、保存するので、端末側には専用のアプリ等が必要なく、操作が容易で、携帯端末のメモリ使用量が少なくで済む。また、転送データ量も少なくて済む。【選択図】図１
2005332188.tif 000002
【特許請求の範囲】
【請求項１】
通信網を介して携帯端末と通信可能なサーバー装置において、
前記携帯端末から要求されたページデータを生成して端末に送信する送信手段と、
送信したページデータをサーバ装置に保存する保存手段と、
前記携帯端末からのキャプチャ要求に基づき、サーバ装置に保存されているページデータをＷｅｂ公開する公開手段と、
前記Ｗｅｂ公開されたページデータと対応するＵＲＬを前記携帯端末にメールで通知するＵＲＬ通知手段と
を備えたことを特徴とするサーバ装置。
【請求項２】
前記送信するページデータには予め前記携帯端末がキャプチャ要求を行うためのリンクが含まれていることを特徴とする請求項１に記載のサーバ装置。
【請求項３】
更に、前記Ｗｅｂ公開されるページデータを元のページへアクセス可能なように加工する加工手段を備えたことを特徴とする請求項１に記載のサーバ装置。
【請求項４】
通信網を介して携帯端末と通信可能なサーバ装置のコンピュータを、
前記携帯端末から要求されたページデータを生成して前記携帯端末に送信する送信手段、
送信したページデータを前記サーバ装置に保存する保存手段、
前記携帯端末からのキャプチャ要求に基づき、前記サーバ装置に保存されているページデータをＷｅｂ公開する公開手段、
前記Ｗｅｂ公開されたページデータと対応するＵＲＬを前記携帯端末にメールで通知するＵＲＬ通知手段
として機能させることを特徴とするキャプチャ処理プログラム。
【請求項５】
Ｗｅｂページを閲覧する閲覧手段およびメール送受信手段を備えた携帯端末、
前記携帯端末から要求されたページデータを生成して前記携帯端末に送信する送信手段、送信したページデータをサーバ装置に保存する保存手段、前記携帯端末からのキャプチャ要求に基づき、前記サーバ装置に保存されているページデータをＷｅｂ公開する公開手段、前記Ｗｅｂ公開されたページデータと対応するＵＲＬを前記携帯端末にメールで通知するＵＲＬ通知手段を備えた、通信網を介して前記携帯端末と通信可能なサーバ装置
からなることを特徴とするキャプチャ処理システム。
【請求項６】
前記サーバ装置は、更に前記Ｗｅｂ公開されるページデータを元のページへアクセス可能なように加工する加工手段を備えたことを特徴とする請求項５に記載のキャプチャ処理システム。
【請求項７】
携帯端末からサーバ装置へページデータを要求するステップ、
前記サーバ装置が端末から要求されたページデータを生成して前記携帯端末に送信するステップ、
送信したページデータを前記サーバ装置に保存するステップ、
前記携帯端末からのキャプチャ要求に基づき、前記サーバ装置に保存されているページデータをＷｅｂ公開するステップ、
前記サーバ装置が前記Ｗｅｂ公開されたページデータと対応するＵＲＬを前記携帯端末にメールで通知するステップ
を含むことを特徴とするキャプチャ処理方法。
【請求項８】
更に、前記サーバ装置において前記Ｗｅｂ公開されるページデータを元のページへアクセス可能なように加工するステップを含むことを特徴とする請求項７に記載のキャプチャ処理方法。
【発明の詳細な説明】
【技術分野】
【０００１】
本発明は、サーバ装置、キャプチャ処理プログラム、キャプチャ処理システムおよびキャプチャ処理方法に関するものであり、特に、携帯端末で閲覧したＷｅｂ画面をサーバでキャプチャして保存し、閲覧することが可能なサーバ装置、キャプチャ処理プログラム、キャプチャ処理システムおよびキャプチャ処理方法に関するものである。
【背景技術】
【０００２】
従来、携帯電話機等の携帯端末において、Ｗｅｂブラウザを装備してインターネットにアクセスし、Ｗｅｂを閲覧することができる機能が標準装備されるようになっている。このような携帯端末においては、ブラウザで閲覧したページのＵＲＬ（Uniform Resource Locator）を保存して、次回そのページに簡単にアクセスできるようなブックマーク機能が装備されている。例えば、下記の特許文献１には、発信履歴のある複数のＵＲＬが表示され、サーバが所望のＵＲＬを選択することによって、簡単に所望のサイトにアクセスできる技術が開示されている。
【特許文献１】特開２００１−２４３１４６号公報
【発明の開示】
【発明が解決しようとする課題】
【０００３】
例えば、ゲームサイトにおけるポイントランキング表示ページにおいては、常にランキングの情報が更新されるために、サイトにおいては、サーバからのランキングページ要求に対して、その時点でのランキング情報を取得して動的にランキング表示ページを生成して端末に送信している。従って、このような場合には同じＵＲＬでもリアルタイムで内容が更新されるために、従来のブックマーク機能を使用してサーバがランキング１位になった画面のＵＲＬを保存しておき、再度アクセスしても同じ画面は表示されないという問題点があった。従って、携帯電話機のサーバは、上記したようなランキング画面を保存したり、他人に送ったりすることができなかった。
本発明の目的は、上記した問題点を解決し、携帯端末で閲覧したＷｅｂ画面をサーバでキャプチャして保存し、閲覧することが可能なサーバ装置、キャプチャ処理プログラム、キャプチャ処理システムおよびキャプチャ処理方法を提供することにある。
【課題を解決するための手段】
【０００４】
本発明のサーバ装置は、通信網を介して携帯端末と通信可能なサーバー装置において、前記携帯端末から要求されたページデータを生成して端末に送信する送信手段と、送信したページデータをサーバ装置に保存する保存手段と、前記携帯端末からのキャプチャ要求に基づき、サーバ装置に保存されているページデータをＷｅｂ公開する公開手段と、前記Ｗｅｂ公開されたページデータと対応するＵＲＬを前記携帯端末にメールで通知するＵＲＬ通知手段とを備えた  ことを主要な特徴とする。
また、前記サーバ装置において、前記送信するページデータには予め前記携帯端末がキャプチャ要求を行うためのリンクが含まれていてもよい。更に、前記サーバ装置において、前記Ｗｅｂ公開されるページデータを元のページへアクセス可能なように加工する加工手段を備えていてもよい。
【０００５】
本発明のキャプチャ処理プログラムは、通信網を介して携帯端末と通信可能なサーバ装置のコンピュータを、前記携帯端末から要求されたページデータを生成して前記携帯端末に送信する送信手段、送信したページデータを前記サーバ装置に保存する保存手段、前記携帯端末からのキャプチャ要求に基づき、前記サーバ装置に保存されているページデータをＷｅｂ公開する公開手段、前記Ｗｅｂ公開されたページデータと対応するＵＲＬを前記携帯端末にメールで通知するＵＲＬ通知手段として機能させることを主要な特徴とする。
【０００６】
本発明のキャプチャ処理システムは、Ｗｅｂページを閲覧する閲覧手段およびメール送受信手段を備えた携帯端末、前記携帯端末から要求されたページデータを生成して前記携帯端末に送信する送信手段、送信したページデータをサーバ装置に保存する保存手段、前記携帯端末からのキャプチャ要求に基づき、前記サーバ装置に保存されているページデータをＷｅｂ公開する公開手段、前記Ｗｅｂ公開されたページデータと対応するＵＲＬを前記携帯端末にメールで通知するＵＲＬ通知手段を備えた、通信網を介して前記携帯端末と通信可能なサーバ装置からなることを主要な特徴とする。
また、前記システムにおいて、サーバ装置は、更に前記Ｗｅｂ公開されるページデータを元のページへアクセス可能なように加工する加工手段を備えていてもよい。
【０００７】
本発明のキャプチャ処理方法は、携帯端末からサーバ装置へページデータを要求するステップ、前記サーバ装置が端末から要求されたページデータを生成して前記携帯端末に送信するステップ、送信したページデータを前記サーバ装置に保存するステップ、前記携帯端末からのキャプチャ要求に基づき、前記サーバ装置に保存されているページデータをＷｅｂ公開するステップ、前記サーバ装置が前記Ｗｅｂ公開されたページデータと対応するＵＲＬを前記携帯端末にメールで通知するステップを含むことを主要な特徴とする。
また、前記方法は、更に、前記サーバ装置において前記Ｗｅｂ公開されるページデータを元のページへアクセス可能なように加工するステップを含んでいてもよい。
【発明の効果】
【０００８】
本発明は上記のような特徴によって、サーバにおいて画面をキャプチャするので、動的にページ生成されるサイトにおいても携帯電話機のサーバが前記したようなランキング画面を保存したり、他人に見せたりすることができるという効果がある。また、端末側には専用のアプリ等が必要なく、操作が容易で、携帯端末のメモリ使用量が少なくで済むという効果もある。更に、他人にその画面を見せたい場合には保存ＵＲＬを通知すればよいので、転送データ量も少なくて済むという効果もある。
【発明を実施するための最良の形態】
【０００９】
以下、本発明を実施するための最良の形態について、図面を参照して詳細に説明する。本実施の形態では、端末として携帯電話機を使用する例を開示する。但し、本発明はインターネットに接続してＷｅｂ閲覧が可能な任意の携帯端末について適用可能である。
【００１０】
まずシステム全体の構成について説明する。図１は、本発明の実施例のシステム全体を示す概略構成図である。このシステムは、携帯端末の一種である携帯電話１とサーバ２が携帯電話網５およびインターネット４を介して接続可能に構成されている。携帯電話網５は、基地局９、パケット交換処理を司るパケット網６、インターネット４に接続されたゲートウェイサーバ７とを備え、携帯電話１とインターネット４との接続を可能にする。携帯電話１は、例えばHTTP（Hyper Text Transfer Protocol）によりＷｅｂ閲覧を可能にするＷｅｂブラウザや周知のプロトコルでメールの送受信を行うメーラーを標準装備しており、更にアプリケーションプログラムをダウンロードして記憶することも可能である。
【００１１】
サーバ２はデータベース（ＤＢ）３を備え、Ｗｅｂサーバ、メールサーバ、アプリケーションサーバ等の機能を有する。サーバ２はインターネット４、携帯電話網５を介して携帯電話１やパソコンなどの端末と通信可能であり、携帯電話１からのアクセスに応じて後述するような処理を行う。データベース３は、サーバ２に接続されたデータベースシステムであり、ダウンロード用アプリ、サーバ関連データ、コンテンツデータ等の各種データを記憶すると共にサーバ２からの要求に基づきサーバ２に必要なデータを提供する。
【００１２】
図２は、本実施例の携帯電話１の内部構成例を示すブロック図である。携帯電話１は、制御部２０、通信制御部２１、表示部２３、入力部２４、音声／サウンド制御部、時計部２８、記憶部３０を備え、各回路はバス２９によって接続されている。
【００１３】
制御部２０は、CPU、ROM、RAMなどを備え、ROMや記憶部３０に記憶された各種プログラムに従って携帯電話１全体の制御を行う。アプリケーションプログラムとしては、例えばＷｅｂ閲覧を制御するＷｅｂブラウザ、メールの送受信を制御するメーラープログラムを実行可能である。記憶部３０は、例えば不揮発性のメモリからなり、上記した各種アプリやアプリで使用するデータ、待ち受け画像等の画像データ、着メロデータ、電話帳データなどをを記憶している。
【００１４】
アンテナ２２を備えた通信制御部２１は基地局との間の無線通信を実行する。例えば液晶表示器を備えた表示部２３は制御部２０の制御によって文字や画像を表示する。入力部２４は、電話番号や文字を入力するためのダイヤルキー、メインメニューを呼び出したり、画面上の選択可能なアイコンに対して上下左右へカーソルを移動してアイコンを選択するためのセレクトキー、ダイヤルキーやセレクトキーで選択した項目を確定する確定キーなどを備える。
【００１５】
音声／サウンド制御部２５は、スピーカ２６およびマイク２７が接続されており、呼出音、着信メロ等のサウンド出力や通話時の音声出力、およびマイク２７からの音声入力を実行する。時計部２８は制御部２０に現在時刻情報を提供する。この他、赤外線通信機能、近距離無線通信機能、外部機器接続機能、カメラ機能、（デジタル）テレビあるいは（デジタル）ラジオ受信機能、メモリカードスロット等を備えていてもよい。
【００１６】
図３は、本実施の形態によるサーバ２の内部構成例を示すブロック図である。サーバ２は、制御部４１、記憶部４２、通信制御部４３、データベースインターフェイス部４４、時計部４５等からなり、各回路はバス４６によって接続されている。制御部４１はCPU、ROM、RAMなどを備え、周知のＯＳ、サーバプログラムおよび本発明の機能を実現するアプリケーションプログラムを実行することにより、サーバ２全体を制御する。
【００１７】
記憶部４２は例えばハードディスク装置を備え、ＯＳ、周知のあるいは本発明による各種アプリケーションプログラム、データ等を記憶している。通信制御部４３は、図示しないＬＡＮ、ファイヤウォールサーバ、ルーター等を介してインターネット４に接続され、インターネット４を介して携帯端末などとの双方向通信を実行する。時計部４５は現在時刻を計時し、制御部４１に提供する。データベースインタフエース部４４はデ−タベース３に接続され、データベース２との間でデータ授受を行う。
【００１８】
以下に、本発明によるキャプチャ処理の機能および動作を説明する。図４は、本発明のキャプチャ処理の概要を示すフローチャートである。縦線は時間の経過を示し、横点線は情報、データの移動を示している。なお、サーバ（端末）１は予めサーバ２に、サーバＩＤ（ＵＩＤ）、氏名、メールアドレス等がサーバ登録されているものとする。Ｓ１０においては、サーバ端末１において周知のブラウザを使用してＷｅｂを閲覧する。即ち、所望のページのＵＲＬを送信する。
【００１９】
Ｓ１１においては、サーバ２においてＵＲＬを受信する。なお、携帯電話網のキャリア（通信業者）から認定された公式サイト（サーバ）であれば、アクセスしてきた携帯電話のＵＩＤ（サーバ固有の識別情報）を携帯電話網から取得可能であるので、サーバの特定（認証）が可能である。また、サーバＩＤとパスワードによって認証を行ってもよい。
【００２０】
Ｓ１２においては、サーバ２がＤＢ３から必要なデータを読み出してページを生成する。Ｓ１３においては、サーバ２が端末１に生成したページを送信する。Ｓ１４においては、サーバにおいてサーバ端末１と対応させて送信したページデータを一時保存する。ページデータの保存形式はHTMLあるいはそのサブセットの形式である。送信するページの中に当該ページのＩＤ番号を付与しておき、そのＩＤ番号と対応してページ情報を保存するようにしてもよい。
【００２１】
Ｓ１５においては、端末１において受信したページを表示する。図５（ａ）は、端末１において表示された画面例を示す説明図である。この例は、ゲームのランキング表示画面であり、画面５０にはタイトル、日付、現在の順位、得点、ニックネーム等が表示されている。下方には端末がキャプチャ要求を行うためのリンクである「キャプチャ」ボタン５１が表示されている。
【００２２】
Ｓ１６においては、サーバが「キャプチャ」ボタン５１を選択／決定するキャプチャ指示操作を行ったか否かによってキャプチャするか否かが判定され、結果が肯定の場合にはＳ１７に移行する。Ｓ１７においては、端末１はサーバ２に対してキャプチャ要求を送信する。なお、前記したページＩＤが付与されている場合にはそのページＩＤ情報が付加された要求を送信する。
【００２３】
Ｓ１８においては、サーバ２がキャプチャ要求を受信し、Ｓ１９においては、Ｓ１４において一時保存されているページデータを読み出し、Ｗｅｂ上で閲覧可能な状態で保存する。（Ｗｅｂサーバ内の公開フォルダにファイルを移動する。）なお、このページデータは例えば一定期間経過後に削除される。
【００２４】
Ｓ２０においては、サーバ２においてＷｅｂ上に保存したページデータと対応するＵＲＬを生成し、メール中に記載してサーバ端末２に送信する。Ｓ２１においては、サーバ２から端末１にキャプチャの完了画面を送信する。Ｓ２２においては、端末１においてキャプチャ完了画面を表示する。ここで保存期限を表示してもよい。Ｓ２３においては、閲覧終了か否かが判定され、結果が否定の場合にはＳ１０に戻る。以上で画面キャプチャ処理が完了する。
【００２５】
次に、キャプチャ画面の確認、他人への通知について説明する。Ｓ３０においては、端末１のメーラーにおいてサーバ２から送信されたＵＲＬ入りメールを受信する。Ｓ３１においては、メーラーによってメールを開いて本文中のＵＲＬをクリック（選択）する。するとブラウザが起動して当該ＵＲＬをサーバに送信する。Ｓ３２においては、サーバ２がＵＲＬを受信し、Ｓ３３においては、ＤＢ３からＵＲＬに基づいて保存されているキャプチャページデータを読み出し、端末に送信する。Ｓ３４においては、端末１において保存ページを表示する。
【００２６】
図５（ｂ）は、保存ページの表示例を示す説明図である。画面５５の上方には、この画面が保存画面であることの表示５７が追加されている。また、サーバが元のページへアクセス可能なようにＷｅｂ公開されるページデータを加工する機能を備えており、元の画面の「キャプチャ」ボタンは「オリジナルＵＲＬ」ボタン５６に変更されており、元のページへリンクされている。サーバがこのボタンを選択操作することにより、例えば現在のランキング画面が表示される。
【００２７】
Ｓ３５においては、サーバがメーラーを操作してＳ３０で受信したＵＲＬ入りメールをこの画面を見せたい人に転送する。メールを受信した人はＳ３０〜Ｓ３５と同様の処理を行うことにより、閲覧、転送が可能である。
以上のような処理によって、携帯電話機等の携帯端末において、Ｗｅｂ画面のキャプチャ、保存、メール通知等が可能となる。また、画面データを端末に保存しないのでメモリの使用量が少なくて済む。
【００２８】
以上実施例を説明したが、本発明のには以下のような変形例も考えられる。実施例においては、端末１がＵＲＬ入りのメールを受信する例を開示したが、メールを使用しない方法も可能である。即ち、キャプチャした画面の保存ＵＲＬへ端末をリダイレクト接続させ、保存画面を端末において表示させる。サーバは必要ならば、当該ＵＲＬを保存（ブックマークへ登録）し、当該ＵＲＬを記載したメールを見せたい人に送信することによって、他人にも見せることができる。この方法はサーバ登録なしでも実施可能である。
【００２９】
実施例においては、サーバにおいてHTML等の形式で保存する例を開示したが、GIFやJPEG等の画像データの形式に変換して保存することも可能である。また、変換した画像データをサーバの要求に従って端末１にメールで送信してもよい。このようにすれば、サーバは自分で保存、加工、転送、印刷等を行うことができる。
【００３０】
保存ページの管理方法については、保存量は無制限で所定期間のみ保存する例を開示したが、サーバが最後に見たラストページのみ、あるいはラストの所定数ページを保存するようにしてもよいし、サーバ毎に所定容量を超えると古いデータから削除するようにしてもよい。
実施例においては、送信ページデータを一時保存しておき、端末からのキャプチャ要求に基づきＷｅｂ公開する例を開示したが、送信ページデータを全て始めからＷｅｂ上に一時保存するようにしてもよい。
【産業上の利用可能性】
【００３１】
本発明は、携帯電話機等の携帯端末、サーバ装置、携帯電話網、インターネット等を含むデータ通信システム、情報処理システムの産業分野で利用可能である。
【図面の簡単な説明】
【００３２】
【図１】本発明の実施例のシステム全体を示す概略構成図である。
【図２】本実施例の携帯電話の内部構成例を示すブロック図である。
【図３】本実施例のサーバの内部構成例を示すブロック図である。
【図４】本発明のキャプチャ処理の概要を示すフローチャートである。
【図５】端末において表示される画面例を示す説明図である。
【符号の説明】
【００３３】
１…携帯電話機
２…サーバ
３…データベース
４…インターネット
５…携帯電話網
６…パケット網
７…ゲートウェイサーバ
９…基地局
１０…ＴＶ放送局
１１…テレビ受信機
【図１】
2005332188.tif 000003
【図２】
2005332188.tif 000004
【図３】
2005332188.tif 000005
【図４】
2005332188.tif 000006
【図５】
2005332188.tif 000007